(57)【特許請求の範囲】
【請求項１】
情報表示を行う表示部を有し、該表示部に表示する情報を拡大して表示するためのレンズを設け、
前記携帯電話機が一体型携帯電話機であり、
前記レンズが前記携帯電話機の筐体の側面に設けられたスリットに噛み合わされて設けられ、前記スリットに沿って前記レンズが移動可能であり、
前記レンズが、前記スリットに沿って移動し前記携帯電話機のキー操作部上に達することによって、前記キー操作部に設けられた操作キーの操作を不可とする
ことを特徴とする携帯電話機。
【請求項２】
情報表示を行う表示部を有し、該表示部に表示する情報を拡大して表示するためのレンズを設け、
前記携帯電話機が折り畳み式携帯電話機であり、
前記レンズが、前記携帯電話機の折り畳み時のヒンジ部に取り付けられ、該ヒンジ部を支点として回転可能であり、
前記レンズが、前記ヒンジ部を支点として回転し前記携帯電話機のキー操作部上に達することによって、前記キー操作部に設けられた操作キーの操作を不可とする
ことを特徴とする携帯電話機。
【発明の詳細な説明】
【０００１】
【発明の属する技術分野】
本発明は携帯電話機に関する。
【０００２】
【従来の技術】
最近の携帯電話機の普及は目覚しいものがあり、老若男女あらゆる世代の人が便利に使用している。
【０００３】
この普及の背景にあり、無視することができない点に携帯電話機の小型軽量化がある。
【０００４】
すなわち、最近では、半導体技術や液晶技術等の進歩によって、従来よりも高性能の携帯電話機が従来よりも小さなサイズで実現可能となり、携帯性に優れ、非常に便利なものとなっている。
【０００５】
【発明が解決しようとする課題】
ところが、その一方で、携帯電話機の小型軽量化が進むにつれて、携帯電話機に設けられたＬＣＤ画面の表示面積も縮小し、このため、画面の文字や絵が小さく、見ずらくなってしまうという問題が発生している。
【０００６】
小さな文字等の見にくさは、人によって個人差があるが、誰にでも使いやすい携帯電話機を提供するためには、携帯電話機の小型軽量化を維持しながら小さな文字等の見にくさの問題を解決する必要がある。
【０００７】
また、携帯電話機の小型軽量化にともない、キー操作部も小さくなり、誤って不要な操作キーを押下してしまったり、誤操作しやすいという問題も発生している。
【０００８】
本発明は上記の点にかんがみてなされたもので、小型軽量化を維持しながら小さな文字等の見にくさの問題を解決し、操作キーの誤操作をなくすことができる携帯電話機を提供することを目的とする。
【０００９】
【課題を解決するための手段】
本発明は上記の目的を達成するために、情報表示を行う表示部を有し、該表示部に表示する情報を拡大して表示するためのレンズを設け、前記携帯電話機が一体型携帯電話機であり、前記レンズが前記携帯電話機の筐体の側面に設けられたスリットに噛み合わされて設けられ、前記スリットに沿って前記レンズが移動可能であり、前記レンズが、前記スリットに沿って移動し前記携帯電話機のキー操作部上に達することによって、前記キー操作部に設けられた操作キーの操作を不可とした。
【００１０】
【発明の実施の形態】
以下、本発明の実施の形態を図面を参照して説明する。
【００１１】
図１は、本発明による携帯電話機の第１の実施の形態を示す平面図である。
【００１２】
図１を参照すると、本実施の形態の携帯電話機１は、文字や絵を表示するＬＣＤ部２と、ＬＣＤ部２に表示された文字や絵が拡大された状態で使用者が見られるようにするためのレンズ３と、キー操作部６と、マイク７と、レシーバ８と、アンテナ９とを有して構成される。また、本実施の形態において、携帯電話機１は一体型携帯電話機である。
【００１３】
本実施の形態では、図１に示すように、携帯電話機１のＬＣＤ部２に表示される文字や絵を拡大して見ることができるよう、ＬＣＤ部２の上にレンズ３が装着してある。
【００１４】
図２は、図１に示した携帯電話機１を、図１に示した方向ａから見た側面図である。
【００１５】
携帯電話機１の筐体には、スリット１１およびスリット１２が設けられており、レンズ３は、このスリット１１、スリット１２に噛み合わせるように装着される。また、レンズ３は、このスリット１１、スリット１２に沿ってスライドすることができるように構成されている。
【００１６】
また、図２に示すように、携帯電話機１の筐体の側面にスリット１１および１２を設け、レンズ３を噛み合わせているため、レンズ３はスリットスリット１１および１２に沿って移動することができるが、スリットスリット１１および１２に対して垂直方向に外れることはない。
【００１７】
図３は、図１に示した携帯電話機１を、図１に示した方向ｂから見た側面図である。
【００１８】
図４は、図１に示した携帯電話機１において、レンズ３を図３に示す矢印Ａの方向にずらした場合を示す平面図である。
【００１９】
レンズ３はスリット１１、スリット１２に沿ってスライドさせることができるため、たとえば図３に示す矢印Ａの方向にずらしたりすることができる。
【００２０】
ＬＣＤ部２の位置にレンズ３をスライドさせたときには、ＬＣＤ部２の画面に表示される文字や絵を拡大して見ることができる。
【００２１】
また、レンズ３を図３に示す矢印Ａの方向にずらして、図４に示すように、キー操作部６の位置にレンズ３をスライドさせておけば、レンズ３がキー操作部６を覆うことによって操作キーを押下することができなくすることができるので、操作キーの誤操作を防止することができる。
【００２２】
次に、本発明による携帯電話機の第２の実施の形態について説明する
図５は、本発明による携帯電話機の第２の実施の形態を示す側面図である。
【００２３】
本実施の形態も第１の実施の形態と同様に、携帯電話機２１は一体型携帯電話機である。
【００２４】
本実施の形態では、図３に示した第１の実施の形態におけるスリット１２の代わりに、図５に示すスリット１４を設け、図２に示した第１の実施の形態におけるスリット１１の代わりに、スリット１４の反対面にスリット１４と同じ長さのスリットを設けた。すなわち、本実施の形態ではスリットを携帯電話機２１の筐体の終端にまで延長してある。
【００２５】
このように構成することによって、この第２の実施の形態によれば、レンズ３はスリット１４に沿って移動し、レンズ３が不要なときにはスリット１４の延長方向に移動を続けることによって、レンズ３を容易に取り外すことができる。
【００２６】
次に、本発明による携帯電話機の第３の実施の形態について説明する
図６は、本発明による携帯電話機の第３の実施の形態を示す平面図である。
【００２７】
図６を参照すると、本実施の形態の携帯電話機３１は、文字や絵を表示するＬＣＤ部３２と、ＬＣＤ部３２に表示された文字や絵が拡大された状態で使用者が見られるようにするためのレンズ３３と、キー操作部３６と、マイク３７と、レシーバ３８と、アンテナ３９とを有して構成され、レンズ３３はヒンジ部３４およびヒンジ部３５によって携帯電話機３１の筐体に取り付けられている。また、本実施の形態において、携帯電話機３１は折り畳み式携帯電話機である。
【００２８】
本実施の形態では、図６に示すように、携帯電話機３１のＬＣＤ部３２に表示される文字や絵を拡大して見ることができるよう、ＬＣＤ部３２の上にレンズ３３が装着してある。
【００２９】
図７は、図６に示した携帯電話機３１を、図６に示した方向ｃから見た側面図である。
【００３０】
図８は、図６に示した携帯電話機３１において、レンズ３３を図７に示す矢印Ｃの方向にずらした場合を示す平面図である。
【００３１】
レンズ３３は、ヒンジ部３４およびヒンジ部３５に挿入して装着され、ヒンジ部３４およびヒンジ部３５を支点として、図７に示す矢印Ｂの方向や矢印Ｃの方向に回転することができ、図６に示した状態から矢印Ｃの方向に１８０度回転すると、図８に示すようにキー操作部３６を覆うことができるように構成されている。
【００３２】
このように、レンズ３３は、ヒンジ部３４およびヒンジ部３５を支点として回転することができるため、レンズ３３をＬＣＤ部３２の方に倒しておけば、ＬＣＤ部２の画面に表示される文字や絵を拡大して見ることができる。
【００３３】
また、レンズ３３をキー操作部３６の方に倒しておけば、レンズ３３がキー操作部３６を覆うことによって操作キーを押下することができなくすることができるので、操作キーの誤操作を防止することができる。
【００３４】
図９は、図６に示した携帯電話機３１を折り畳んだときの、図６に示した方向ｃから見た側面図である。
【００３５】
携帯電話機３１の折り畳みの支点もヒンジ部３４とヒンジ部３５であるため、レンズ３３をサンドイッチ構造で折り畳むことができ、折り畳み式携帯電話機の利点であるコンパクト化を維持することができる。
【００３６】
次に、本発明による携帯電話機の第４の実施の形態について説明する
図１０は、本発明による携帯電話機の第４の実施の形態を示す平面図である。
【００３７】
図１０を参照すると、本実施の形態の携帯電話機４１は、文字や絵を表示するＬＣＤ部３２と、ＬＣＤ部３２に表示された文字や絵が拡大された状態で使用者が見られるようにするためのレンズ４３と、キー操作部３６と、マイク３７と、レシーバ３８と、アンテナ３９とを有して構成され、レンズ４３はヒンジ部４４によって携帯電話機４１の筐体に取り付けられている。また、本実施の形態において、携帯電話機４１は折り畳み式携帯電話機である。
【００３８】
図１１は、図１０に示した携帯電話機４１において、レンズ４３を取り外した状態を示す平面図である。
【００３９】
本実施の形態では、レンズ４３の回転の支点をヒンジ部４４のみとし、回転の支点を１点で行う構成にした。図１１に示すように、レンズ４３は、ヒンジ挿入部４５をヒンジ部４４に挿入して構成してあるため、レンズ４３が不要なときには、容易に取り外すことができる。
【００４０】
図１２は、本発明による携帯電話機の第５の実施の形態を示す平面図である。
【００４１】
図１２を参照すると、本実施の形態の携帯電話機５１は、文字や絵を表示するＬＣＤ部３２と、ＬＣＤ部３２に表示された文字や絵が拡大された状態で使用者が見られるようにするためのレンズ５３と、キー操作部３６と、マイク３７と、レシーバ３８と、アンテナ３９とを有して構成され、レンズ５３はヒンジ部５６によって携帯電話機５１の筐体に取り付けられている。また、本実施の形態において、携帯電話機５１は折り畳み式携帯電話機である。ヒンジ部５４および５５は携帯電話機５１を折り畳む際のヒンジ部である。
【００４２】
図１３は、図１２に示した携帯電話機５１において、レンズ５３をキー操作部３６の上部に倒した状態を示す平面図である。
【００４３】
本実施の形態では、携帯電話機５１を折り畳む際のヒンジ部５４および５５とは別のヒンジ部５６を設け、レンズ５３の回転の支点をヒンジ部の中央に設けたヒンジ部５６とし、このヒンジ部５６を支点としてレンズ５３が回転することができるように構成している。
【００４４】
【発明の効果】
以上説明したように、本発明によれば、一体型携帯電話機のＬＣＤをレンズで覆うことによって、ＬＣＤの文字や絵が大きくなり、見やすくなる。また、一体型携帯電話機のキー操作部をレンズで覆うことによって、誤操作による不要なキー押下を防止することができる。
【００４５】
また、本発明によれば、折り畳み式携帯電話機のＬＣＤをレンズで覆うことによって、ＬＣＤの文字や絵が大きくなり、見やすくなる。また、折り畳み式携帯電話機のキー操作部をレンズで覆うことによって、誤操作による不要なキー押下を防止することができる。
すなわち、本発明によれば、小型軽量化を維持しながら小さな文字等の見にくさの問題を解決し、操作キーの誤操作をなくすことができる携帯電話機を提供することができる。
【図面の簡単な説明】
【図１】本発明による携帯電話機の第１の実施の形態を示す平面図である。
【図２】図１に示した携帯電話機を、図１に示した方向ａから見た側面図である。
【図３】図１に示した携帯電話機を、図１に示した方向ｂから見た側面図である。
【図４】図１に示した携帯電話機１において、レンズを図３に示す矢印Ａの方向にずらした場合を示す平面図である。
【図５】本発明による携帯電話機の第２の実施の形態を示す側面図である。
【図６】本発明による携帯電話機の第３の実施の形態を示す平面図である。
【図７】図６に示した携帯電話機を、図６に示した方向ｃから見た側面図である。
【図８】図６に示した携帯電話機において、レンズを図７に示す矢印Ｃの方向にずらした場合を示す平面図である。
【図９】図６に示した携帯電話機を折り畳んだときの、図６に示した方向ｃから見た側面図である。
【図１０】本発明による携帯電話機の第４の実施の形態を示す平面図である。
【図１１】図１０に示した携帯電話機において、レンズを取り外した状態を示す平面図である。
【図１２】本発明による携帯電話機の第５の実施の形態を示す平面図である。
【図１３】図１２に示した携帯電話機において、レンズをキー操作部の上部に倒した状態を示す平面図である。
【符号の説明】
１  携帯電話機
２  ＬＣＤ部
３  レンズ
６  キー操作部
７  マイク
８  レシーバ
９  アンテナ
１１、１２  スリット
【図１】
0003555854.tif 000002
【図２】
0003555854.tif 000003
【図３】
0003555854.tif 000004
【図４】
0003555854.tif 000005
【図５】
0003555854.tif 000006
【図６】
0003555854.tif 000007
【図７】
0003555854.tif 000008
【図８】
0003555854.tif 000009
【図９】
0003555854.tif 000010
【図１０】
0003555854.tif 000011
【図１１】
0003555854.tif 000012
【図１２】
0003555854.tif 000013
【図１３】
0003555854.tif 000014